(57)【特許請求の範囲】
【請求項１】
話し手の口および鼻の少なくとも一方から生じた飛沫を抑制するために前記話し手と、聞き手との間に配置される飛沫抑制部材に対して特定の位置に配置されて、前記聞き手に伝わる前記話し手の音声を増大させる音声増大装置であって、
前記飛沫抑制部材と、前記飛沫抑制部材および自身の間の空気との少なくとも一方から音声の振動を受ける固体部分である振動入力部と、
前記振動入力部によって受けられた振動を自身に対する前記聞き手側の空気に伝える固体部分である振動出力部と
を備え、
前記音声増大装置は、前記振動入力部から前記振動出力部に音声を、固体中を伝わる振動として伝えることを特徴とする音声増大装置。
【請求項２】
前記振動出力部によって出力された音声に指向性を付与することによって前記聞き手に伝わる音声を増大させる指向性付与部を備えることを特徴とする請求項１に記載の音声増大装置。
【請求項３】
前記飛沫抑制部材に載置される被載置部を備え、
前記被載置部は、前記飛沫抑制部材のうち前記被載置部自身が載置される部分に鉛直方向における上側から接触する状態で、前記飛沫抑制部材に載置され、
前記音声増大装置は、前記被載置部が前記飛沫抑制部材に載置されることによって前記飛沫抑制部材に対して前記特定の位置に配置されることを特徴とする請求項１または請求項２に記載の音声増大装置。
【請求項４】
前記振動出力部および前記被載置部を連結する連結部を備え、
前記連結部は、前記音声増大装置が前記飛沫抑制部材に対して前記特定の位置に配置されている場合の鉛直方向における長さが可変であることを特徴とする請求項３に記載の音声増大装置。
【請求項５】
前記飛沫抑制部材に対して前記話し手側に配置されて、前記飛沫抑制部材に対する前記話し手側の空気から音声の振動を受ける固体部分である追加入力部を備え、
前記振動出力部は、前記振動入力部によって受けられた振動と、前記追加入力部によって受けられた振動とを自身に対する前記聞き手側の空気に伝え、
前記音声増大装置は、前記振動入力部および前記追加入力部から前記振動出力部に音声を、固体中を伝わる振動として伝えることを特徴とする請求項１から請求項４までのいずれかに記載の音声増大装置。
【請求項６】
前記振動出力部によって出力された音声を増大させる拡声器を備え、
前記拡声器は、
前記振動出力部によって出力された音声が入力されるマイクと、
前記マイクの出力信号を増幅する増幅器と、
前記増幅器の出力信号に応じた音声を出力するスピーカーと
を備えることを特徴とする請求項１から請求項５までのいずれかに記載の音声増大装置。
【請求項７】
前記音声増大装置が前記飛沫抑制部材に対して前記特定の位置に配置されている場合に前記飛沫抑制部材に対する前記話し手側に配置されて、前記音声増大装置のうち前記飛沫抑制部材に対する前記聞き手側の部分を共鳴させる共鳴用部材を備え、
前記振動出力部は、前記音声増大装置が前記飛沫抑制部材に対して前記特定の位置に配置されている場合に前記飛沫抑制部材に対する前記聞き手側に配置されることを特徴とする請求項１から請求項６までのいずれかに記載の音声増大装置。
【請求項８】
請求項１から請求項７までのいずれかに記載の音声増大装置と、
前記飛沫抑制部材と
を備えることを特徴とするパーテーション。
【請求項９】
請求項１から請求項７までのいずれかに記載の音声増大装置と、
前記飛沫抑制部材と
を備えることを特徴とするマスク。
【請求項１０】
請求項１から請求項７までのいずれかに記載の音声増大装置と、
前記飛沫抑制部材と
を備えることを特徴とするマウスシールド。
【請求項１１】
請求項１から請求項７までのいずれかに記載の音声増大装置と、
前記飛沫抑制部材と
を備えることを特徴とするフェイスシールド。
【発明の詳細な説明】
【技術分野】
【０００１】
本発明は、話し手の口および鼻の少なくとも一方から生じた飛沫を抑制するために話し手と、聞き手との間に配置される飛沫抑制部材に対して特定の位置に配置されて、聞き手に伝わる話し手の音声を増大させる音声増大装置、パーテーション、マスク、マウスシールドおよびフェイスシールドに関する。
【背景技術】
【０００２】
従来、話し手の口および鼻の少なくとも一方から生じた飛沫を抑制するために話し手と、聞き手との間に配置される飛沫抑制部材として、話し手によって着用されるマスクが知られている（例えば、特許文献１参照。）。
【先行技術文献】
【特許文献】
【０００３】
【特許文献１】特開２０２０−０８４３８８号公報
【発明の概要】
【発明が解決しようとする課題】
【０００４】
しかしながら、従来のマスクにおいては、話し手の口および鼻の少なくとも一方から生じた飛沫を抑制することができるものの、聞き手に伝わる話し手の音声を小さくしてしまうので、話し手の音声が聞き手にとって聞き取り難いという問題がある。
【０００５】
そこで、本発明は、話し手の音声を聞き手にとって聞き取り易くすることができる音声増大装置、パーテーション、マスク、マウスシールドおよびフェイスシールドを提供することを目的とする。
【課題を解決するための手段】
【０００６】
本発明の音声増大装置は、話し手の口および鼻の少なくとも一方から生じた飛沫を抑制するために前記話し手と、聞き手との間に配置される飛沫抑制部材に対して特定の位置に配置されて、前記聞き手に伝わる前記話し手の音声を増大させる音声増大装置であって、前記飛沫抑制部材と、前記飛沫抑制部材および自身の間の空気との少なくとも一方から振動を受ける振動入力部と、前記振動入力部によって受けられた振動を自身に対する前記聞き手側の空気に伝える振動出力部とを備えることを特徴とする。
【０００７】
この構成により、本発明の音声増大装置は、話し手の音声の振動を、飛沫抑制部材と、飛沫抑制部材および振動入力部の間の空気との少なくとも一方から振動入力部によって受け、振動入力部によって受けられた、話し手の音声の振動を、振動出力部に対する聞き手側の空気に振動出力部によって伝えるので、聞き手に伝わる話し手の音声を増大させることができ、その結果、話し手の音声を聞き手にとって聞き取り易くすることができる。
【０００８】
本発明の音声増大装置は、前記振動出力部によって出力された音声に指向性を付与することによって前記聞き手に伝わる音声を増大させる指向性付与部を備えても良い。
【０００９】
この構成により、本発明の音声増大装置は、振動出力部によって出力された音声に指向性付与部によって指向性を付与することによって聞き手に伝わる音声を増大させるので、話し手の音声を聞き手にとって更に聞き取り易くすることができる。
【００１０】
本発明の音声増大装置は、前記飛沫抑制部材に載置される被載置部を備え、前記音声増大装置は、前記被載置部が前記飛沫抑制部材に載置されることによって前記飛沫抑制部材に対して前記特定の位置に配置されても良い。
【００１１】
この構成により、本発明の音声増大装置は、被載置部が飛沫抑制部材に載置されることによって飛沫抑制部材に対して特定の位置に配置されるので、飛沫抑制部材に対する音声増大装置の配置作業を容易化することができる。
【００１２】
本発明の音声増大装置は、前記振動出力部および前記被載置部を連結する連結部を備え、前記連結部は、前記音声増大装置が前記飛沫抑制部材に対して前記特定の位置に配置されている場合の鉛直方向における長さが可変であっても良い。
【００１３】
この構成により、本発明の音声増大装置は、音声増大装置が飛沫抑制部材に対して特定の位置に配置されている場合の鉛直方向における連結部の長さが可変であるので、音声増大装置が飛沫抑制部材に対して特定の位置に配置されている場合の鉛直方向における振動出力部の位置が、振動出力部によって出力された、話し手の音声が聞き手にとって聞き取り易い位置に連結部の長さによって調整されることができ、その結果、話し手の音声を聞き手にとって更に聞き取り易くすることができる。
【００１４】
本発明の音声増大装置は、前記飛沫抑制部材に対する前記話し手側の空気から振動を受ける追加入力部を備え、前記振動出力部は、前記振動入力部によって受けられた振動と、前記追加入力部によって受けられた振動とを自身に対する前記聞き手側の空気に伝えても良い。
【００１５】
この構成により、本発明の音声増大装置は、振動入力部によって受けられた、話し手の音声の振動だけでなく、飛沫抑制部材に対する話し手側の空気から追加入力部によって受けられた、話し手の音声の振動も、振動出力部が振動出力部自身に対する聞き手側の空気に伝えるので、聞き手に伝わる話し手の音声を増大させることができ、その結果、話し手の音声を聞き手にとって更に聞き取り易くすることができる。
【００１６】
本発明の音声増大装置は、前記振動出力部によって出力された音声を増大させる拡声器を備えても良い。
【００１７】
この構成により、本発明の音声増大装置は、振動出力部によって出力された音声を拡声器によって増大させるので、聞き手に伝わる話し手の音声を増大させることができ、その結果、話し手の音声を聞き手にとって更に聞き取り易くすることができる。
【００１８】
本発明の音声増大装置は、前記音声増大装置が前記飛沫抑制部材に対して前記特定の位置に配置されている場合に前記飛沫抑制部材に対する前記話し手側に配置されて、前記音声増大装置のうち前記飛沫抑制部材に対する前記聞き手側の部分を共鳴させる共鳴用部材を備え、前記振動出力部は、前記音声増大装置が前記飛沫抑制部材に対して前記特定の位置に配置されている場合に前記飛沫抑制部材に対する前記聞き手側に配置されても良い。
【００１９】
この構成により、本発明の音声増大装置は、飛沫抑制部材に対する話し手側の空気から、話し手の音声の振動を共鳴用部材が受け、音声増大装置のうち飛沫抑制部材に対する聞き手側の部分を共鳴用部材が共鳴させるので、振動出力部が振動出力部自身に対する聞き手側の空気に伝える、話し手の音声の振動を増大させることができる。したがって、本発明の音声増大装置は、聞き手に伝わる話し手の音声を増大させることができ、その結果、話し手の音声を聞き手にとって更に聞き取り易くすることができる。
【００２０】
本発明のパーテーションは、上述の音声増大装置と、前記飛沫抑制部材とを備えることを特徴とする。
【００２１】
この構成により、本発明のパーテーションは、話し手の音声を聞き手にとって聞き取り易くすることができる。
【００２２】
本発明のマスクは、上述の音声増大装置と、前記飛沫抑制部材とを備えることを特徴とする。
【００２３】
この構成により、本発明のマスクは、話し手の音声を聞き手にとって聞き取り易くすることができる。
【００２４】
本発明のマウスシールドは、上述の音声増大装置と、前記飛沫抑制部材とを備えることを特徴とする。
【００２５】
この構成により、本発明のマウスシールドは、話し手の音声を聞き手にとって聞き取り易くすることができる。
【００２６】
本発明のフェイスシールドは、上述の音声増大装置と、前記飛沫抑制部材とを備えることを特徴とする。
【００２７】
この構成により、本発明のフェイスシールドは、話し手の音声を聞き手にとって聞き取り易くすることができる。
【発明の効果】
【００２８】
本発明の音声増大装置、パーテーション、マスク、マウスシールドおよびフェイスシールドは、話し手の音声を聞き手にとって聞き取り易くすることができる。
【図面の簡単な説明】
【００２９】
【図１】本発明の一実施の形態に係る音声増大装置が取り付けられた状態でのパーテーションの斜視図である。
【図２】図１に示す音声増大装置が取り付けられた状態でのパーテーションの一部の側面断面図である。
【図３】（ａ）図２に示す例とは異なる例の音声増大装置が取り付けられた状態でのパーテーションの一部の側面断面図である。  （ｂ）図２および図３（ａ）に示す例とは異なる例の音声増大装置が取り付けられた状態でのパーテーションの一部の側面断面図である。
【図４】連結部が延長された、図１に示す音声増大装置が取り付けられた状態でのパーテーションの正面図である。
【図５】（ａ）追加入力部を備えた、図１に示す音声増大装置が取り付けられた状態でのパーテーションの背面図である。  （ｂ）図５（ａ）に示す音声増大装置が取り付けられた状態でのパーテーションの一部の側面図である。
【図６】拡声器を備えた、図１に示す音声増大装置が取り付けられた状態でのパーテーションの一部の、側面側から観察した部分断面図である。
【図７】飛沫抑制部材の両面のそれぞれ側の聞き手用の、図１に示す音声増大装置が取り付けられた状態でのパーテーションの正面図である。
【図８】（ａ）被載置部および連結部が紐状の部材で形成されている、本発明の一実施の形態に係る音声増大装置が取り付けられた状態でのパーテーションの正面図である。  （ｂ）被載置部および連結部が紐状の部材で形成されている、本発明の一実施の形態に係る２つの音声増大装置が取り付けられた状態でのパーテーションの正面図である。
【図９】被載置部および連結部を備えていない、本発明の一実施の形態に係る音声増大装置が取り付けられた状態でのパーテーションの一部の側面断面図である。
【図１０】共鳴用部材を備えた、本発明の一実施の形態に係る音声増大装置が取り付けられた状態でのパーテーションの一部の側面図である。
【図１１】（ａ）マスクタイプの飛沫抑制部材に取り付けられた状態での、図９に示す音声増大装置の斜視図である。  （ｂ）マウスシールドタイプの飛沫抑制部材に取り付けられた状態での、図９に示す音声増大装置の斜視図である。  （ｃ）フェイスシールドタイプの飛沫抑制部材に取り付けられた状態での、図９に示す音声増大装置の斜視図である。
【発明を実施するための形態】
【００３０】
以下、本発明の実施の形態について、図面を用いて説明する。
【００３１】
まず、本発明の一実施の形態に係る音声増大装置の構成について説明する。
【００３２】
図１は、本実施の形態に係る音声増大装置１０が取り付けられた状態でのパーテーション９０の斜視図である。図２は、図１に示す音声増大装置１０が取り付けられた状態でのパーテーション９０の一部の側面断面図である。
【００３３】
図１および図２に示すように、音声増大装置１０は、パーテーション９０に取り付けられて、聞き手に伝わる話し手の音声を増大させるものである。図２において、飛沫抑制部材９１に対して右側が話し手側の空間であり、飛沫抑制部材９１に対して左側が聞き手側の空間である。
【００３４】
パーテーション９０は、話し手の口および鼻の少なくとも一方から生じた飛沫を抑制するために話し手と、聞き手との間に配置される飛沫抑制部材９１と、飛沫抑制部材９１を支持する脚部９２とを備えている。パーテーション９０は、例えば卓上に設置されるものである。飛沫抑制部材９１は、例えばアクリルなどの透明な部材で形成されている。
【００３５】
音声増大装置１０は、本体２０と、飛沫抑制部材９１に引っ掛けられることによって飛沫抑制部材９１に載置される被載置部３０と、本体２０および被載置部３０を連結する連結部４０とを備えている。
【００３６】
被載置部３０は、飛沫抑制部材９１に接触しており、飛沫抑制部材９１から振動を受ける振動入力部を構成している。被載置部３０は、例えば、木、金属、プラスチックなどの材料によって形成されても良い。音声増大装置１０は、被載置部３０が飛沫抑制部材９１に載置されることによって飛沫抑制部材９１に取り付けられる。
【００３７】
連結部４０は、音声増大装置１０が飛沫抑制部材９１に取り付けられている場合に飛沫抑制部材９１に対する聞き手側に配置されている。連結部４０は、飛沫抑制部材９１に接触可能であり、飛沫抑制部材９１と、飛沫抑制部材９１および連結部４０自身の間の空気との少なくとも一方から振動を受ける振動入力部を構成している。連結部４０は、例えば、木、金属、プラスチックなどの材料によって形成されても良い。連結部４０は、本体２０および被載置部３０の少なくとも一方と、一部品として一体に形成されても良い。
【００３８】
本体２０は、音声増大装置１０が飛沫抑制部材９１に取り付けられている場合に飛沫抑制部材９１に対する聞き手側に配置されている。本体２０は、基部２１と、基部２１から延設された壁部２２とを備えている。本体２０は、例えば、木、金属、プラスチックなどの材料によって形成されても良い。本体２０は、音声増大装置１０が飛沫抑制部材９１に取り付けられている場合に鉛直方向、すなわち、矢印１０ａで示す方向における位置が被載置部３０より下になる。
【００３９】
基部２１のうち飛沫抑制部材９１側の部分（以下「基部振動入力部」という。）２１ａは、飛沫抑制部材９１に接触可能であり、飛沫抑制部材９１と、飛沫抑制部材９１および基部振動入力部２１ａ自身の間の空気との少なくとも一方から振動を受ける振動入力部を構成している。
【００４０】
基部２１のうち聞き手側の部分（以下「基部振動出力部」という。）２１ｂは、基部振動入力部２１ａ、被載置部３０および連結部４０によって受けられた振動を基部振動出力部２１ｂ自身に対する聞き手側の空気に伝える振動出力部を構成している。
【００４１】
壁部２２は、基部振動出力部２１ｂによって出力された音声に指向性を付与することによって聞き手に伝わる音声を増大させる指向性付与部を構成している。すなわち、壁部２２は、音声を音響的に増大させる音響メガホンを構成している。
【００４２】
次に、音声増大装置１０の動作について説明する。
【００４３】
話し手が音声を発すると、話し手の音声の振動は、空気中を伝った後、主に、飛沫抑制部材９１に対する話し手側の空気から飛沫抑制部材９１によって受けられる。
【００４４】
飛沫抑制部材９１によって受けられた、話し手の音声の振動は、飛沫抑制部材９１内を伝った後、飛沫抑制部材９１から被載置部３０によって受けられる。また、飛沫抑制部材９１によって受けられた、話し手の音声の振動は、飛沫抑制部材９１内を伝った後、飛沫抑制部材９１から基部振動入力部２１ａおよび連結部４０の少なくとも一方によって受けられる場合がある。また、飛沫抑制部材９１によって受けられた、話し手の音声の振動は、飛沫抑制部材９１内を伝った後、飛沫抑制部材９１から飛沫抑制部材９１に対する聞き手側の空気によって受けられて、更に、空気中を伝った後、飛沫抑制部材９１および基部振動入力部２１ａの間の空気から基部振動入力部２１ａによって受けられる場合があるとともに、飛沫抑制部材９１および連結部４０の間の空気から連結部４０によって受けられる場合がある。
【００４５】
基部振動入力部２１ａ、被載置部３０および連結部４０によって受けられた、話し手の音声の振動は、音声増大装置１０内を伝った後、基部振動出力部２１ｂから、基部振動出力部２１ｂに対する聞き手側の空気によって受けられる。
【００４６】
基部振動出力部２１ｂに対する聞き手側の空気によって受けられた、話し手の音声の振動は、壁部２２によって指向性が付与されて空気中を伝った後、聞き手によって受けられる。
【００４７】
以上に説明したように、音声増大装置１０は、話し手の音声の振動を、飛沫抑制部材９１と、飛沫抑制部材９１および基部振動入力部２１ａの間の空気との少なくとも一方から基部振動入力部２１ａによって受け、飛沫抑制部材９１から被載置部３０によって受け、飛沫抑制部材９１と、飛沫抑制部材９１および連結部４０の間の空気との少なくとも一方から連結部４０によって受け、基部振動入力部２１ａ、被載置部３０および連結部４０によって受けられた、話し手の音声の振動を、基部振動出力部２１ｂに対する聞き手側の空気に基部振動出力部２１ｂによって伝えるので、聞き手に伝わる話し手の音声を増大させることができ、その結果、話し手の音声を聞き手にとって聞き取り易くすることができる。
【００４８】
音声増大装置１０は、基部振動出力部２１ｂによって出力された音声に壁部２２によって指向性を付与することによって聞き手に伝わる音声を増大させるので、話し手の音声を聞き手にとって更に聞き取り易くすることができる。
【００４９】
図３（ａ）は、図２に示す例とは異なる例の音声増大装置１０が取り付けられた状態でのパーテーション９０の一部の側面断面図である。図３（ｂ）は、図２および図３（ａ）に示す例とは異なる例の音声増大装置１０が取り付けられた状態でのパーテーション９０の一部の側面断面図である。
【００５０】
壁部２２の形状は、本実施の形態において図２に示すようにホーン型であるが、ホーン型以外の形状でも良い。例えば、壁部２２の形状は、図３（ａ）に示すようにコーン型でも良いし、図３（ｂ）に示すように円筒型でも良い。
【００５１】
聞き手側の正面から観察した場合の本体２０の形状は、本実施の形態において円形であるが、例えば四角形など、円形以外の形状でも良い。
【００５２】
音声増大装置１０は、本実施の形態において壁部２２を備えているが、壁部２２を備えていなくても良い。
【００５３】
音声増大装置１０は、被載置部３０が飛沫抑制部材９１に載置されることによって飛沫抑制部材９１に対して特定の位置に配置されるので、飛沫抑制部材９１に対する音声増大装置１０の配置作業を容易化することができる。
【００５４】
図４は、連結部４０が延長された音声増大装置１０が取り付けられた状態でのパーテーション９０の正面図である。
【００５５】
連結部４０は、音声増大装置１０が飛沫抑制部材９１に取り付けられている場合の鉛直方向、すなわち、矢印１０ａで示す方向における長さが可変でも良い。矢印１０ａで示す方向における連結部４０の長さを可変にする方法としては、種々の方法が採用されることが可能である。例えば、図４に示すように、連結部４０は、延長用部材４１が追加されることによって、矢印１０ａで示す方向における長さを延長することが可能でも良い。音声増大装置１０は、矢印１０ａで示す方向における連結部４０の長さが可変である場合、矢印１０ａで示す方向における基部振動出力部２１ｂの位置が、基部振動出力部２１ｂによって出力された、話し手の音声が聞き手にとって聞き取り易い位置に、矢印１０ａで示す方向における連結部４０の長さによって調整されることができ、その結果、話し手の音声を聞き手にとって更に聞き取り易くすることができる。
【００５６】
図５（ａ）は、追加入力部５０を備えた音声増大装置１０が取り付けられた状態でのパーテーション９０の背面図である。図５（ｂ）は、図５（ａ）に示す音声増大装置１０が取り付けられた状態でのパーテーション９０の一部の側面図である。
【００５７】
図５に示すように、音声増大装置１０は、飛沫抑制部材９１に対する話し手側の空気から振動を受ける追加入力部５０を備えても良い。追加入力部５０は、音声増大装置１０が飛沫抑制部材９１に取り付けられている場合に、飛沫抑制部材９１に対して本体２０側とは反対側に配置されている。追加入力部５０は、飛沫抑制部材９１に対する話し手側の空気から主に振動を受けるための主入力部５１と、主入力部５１を被載置部３０に連結するとともに、飛沫抑制部材９１に対する話し手側の空気から振動を受けるための補助入力部５２とを備えている。追加入力部５０は、例えば、木、金属、プラスチックなどの材料によって形成されても良い。追加入力部５０は、被載置部３０と、一部品として一体に形成されても良い。追加入力部５０は、被載置部３０に対して着脱可能でも良い。主入力部５１は、話し手の口の正面に配置されることが好ましい。音声増大装置１０は、追加入力部５０を備える場合、基部振動入力部２１ａ、被載置部３０および連結部４０によって受けられた、話し手の音声の振動だけでなく、飛沫抑制部材９１に対する話し手側の空気から追加入力部５０によって受けられた、話し手の音声の振動も、基部振動出力部２１ｂが基部振動出力部２１ｂ自身に対する聞き手側の空気に伝えるので、聞き手に伝わる話し手の音声を増大させることができ、その結果、話し手の音声を聞き手にとって更に聞き取り易くすることができる。
【００５８】
図６は、拡声器６０を備えた音声増大装置１０が取り付けられた状態でのパーテーション９０の一部の、側面側から観察した部分断面図である。
【００５９】
図６に示すように、音声増大装置１０は、基部振動出力部２１ｂによって出力された音声を増大させる拡声器６０を備えても良い。拡声器６０は、基部振動出力部２１ｂによって出力された音声が入力されるマイク６１と、マイク６１の出力信号を増幅する増幅器６２と、増幅器６２の出力信号に応じた音声を出力するスピーカー６３と、マイク６１、増幅器６２およびスピーカー６３の電源としての、図示していない電池とを備えている。拡声器６０は、基部振動出力部２１ｂに例えば両面テープなどの接着剤によって貼り付けられることによって取り付けられても良い。音声増大装置１０は、拡声器６０を備える場合、基部振動出力部２１ｂによって出力された音声を拡声器６０によって増大させるので、聞き手に伝わる話し手の音声を増大させることができ、その結果、話し手の音声を聞き手にとって更に聞き取り易くすることができる。
【００６０】
図７は、飛沫抑制部材９１の両面のそれぞれ側の聞き手用の音声増大装置１０が取り付けられた状態でのパーテーション９０の正面図である。
【００６１】
音声増大装置１０は、図１において飛沫抑制部材９１の一面側の聞き手用のもののみが設けられている。しかしながら、音声増大装置１０は、図７に示すように飛沫抑制部材９１の他面側の聞き手用のものが追加で設けられても良い。
【００６２】
図７に示すように、飛沫抑制部材９１の両面のそれぞれ側の聞き手用の音声増大装置１０が設けられる場合、これらの音声増大装置１０は、音声の伝達において互いに悪影響を及ぼし合う可能性を低減させるために、互いの基部２１が飛沫抑制部材９１を介して完全に対向する配置以外の配置にすることが好ましい。すなわち、これらの音声増大装置１０の基部２１は、飛沫抑制部材９１の延在方向における位置が互いにずれるように配置されることが好ましい。
【００６３】
図８（ａ）は、被載置部３０および連結部４０が紐状の部材で形成されている音声増大装置１０が取り付けられた状態でのパーテーション９０の正面図である。図８（ｂ）は、被載置部３０および連結部４０が紐状の部材で形成されている２つの音声増大装置１０が取り付けられた状態でのパーテーション９０の正面図である。
【００６４】
連結部４０は、図１において板状の部材で形成されているが、紐状の部材で形成されていても良い。同様に、被載置部３０は、紐状の部材で形成されていても良い。例えば、被載置部３０および連結部４０は、図８に示すように紐状の部材で形成されても良い。
【００６５】
図８（ａ）に示す例では、紐状の被載置部３０は、飛沫抑制部材９１に形成されている孔９１ａに一部が通された後、輪になるように飛沫抑制部材９１に括り付けられている。
【００６６】
図８（ｂ）に示す例では、紐状の被載置部３０は、２つの音声増大装置１０に共有されており、針金で形成されている。
【００６７】
図９は、被載置部３０および連結部４０を備えていない音声増大装置１０が取り付けられた状態でのパーテーション９０の一部の側面断面図である。
【００６８】
音声増大装置１０は、図１において被載置部３０が飛沫抑制部材９１に載置されることによって飛沫抑制部材９１に対して特定の位置に配置されているが、被載置部３０が飛沫抑制部材９１に載置される方法以外の方法によって、飛沫抑制部材９１に対して特定の位置に配置されても良い。例えば、音声増大装置１０は、被載置部３０および連結部４０を備えずに、図９に示すように基部振動入力部２１ａが飛沫抑制部材９１に例えば両面テープなどの接着剤によって貼り付けられることによって、飛沫抑制部材９１に取り付けられても良い。また、音声増大装置１０は、被載置部３０および連結部４０を備えずに、本体２０が飛沫抑制部材９１に例えばネジによって固定されることによって、飛沫抑制部材９１に取り付けられても良い。
【００６９】
図１０は、共鳴用部材７０を備えた音声増大装置１０が取り付けられた状態でのパーテーション９０の一部の側面図である。
【００７０】
図１０に示すように、音声増大装置１０は、音声増大装置１０のうち飛沫抑制部材９１に対する聞き手側の部分を共鳴させる共鳴用部材７０を備えても良い。図１０に示す例では、音声増大装置１０のうち飛沫抑制部材９１に対する聞き手側の部分は、本体２０である。共鳴用部材７０は、音声増大装置１０が飛沫抑制部材９１に取り付けられている場合に飛沫抑制部材９１に対する話し手側に配置されている。共鳴用部材７０は、飛沫抑制部材９１に例えば両面テープなどの接着剤によって貼り付けられることによって取り付けられても良い。共鳴用部材７０は、例えば、木、金属、プラスチックなどの材料によって形成されても良い。図１０に示す例では、共鳴用部材７０は、本体２０の固有振動数と同一の固有振動数を有するように、質量および剛性などが定められている。共鳴用部材７０は、音声増大装置１０のうち飛沫抑制部材９１に対する聞き手側の部分に飛沫抑制部材９１を介して対向する位置に配置されることが好ましい。音声増大装置１０は、共鳴用部材７０を備える場合、飛沫抑制部材９１に対する話し手側の空気から、話し手の音声の振動を共鳴用部材７０が受け、音声増大装置１０のうち飛沫抑制部材９１に対する聞き手側の部分を共鳴用部材７０が共鳴させるので、基部振動出力部２１ｂが基部振動出力部２１ｂ自身に対する聞き手側の空気に伝える、話し手の音声の振動を増大させることができる。したがって、音声増大装置１０は、共鳴用部材７０を備える場合、聞き手に伝わる話し手の音声を増大させることができ、その結果、話し手の音声を聞き手にとって更に聞き取り易くすることができる。
【００７１】
図１１（ａ）は、マスクタイプの飛沫抑制部材９１に取り付けられた状態での、図９に示す音声増大装置１０の斜視図である。図１１（ｂ）は、マウスシールドタイプの飛沫抑制部材９１に取り付けられた状態での、図９に示す音声増大装置１０の斜視図である。図１１（ｃ）は、フェイスシールドタイプの飛沫抑制部材９１に取り付けられた状態での、図９に示す音声増大装置１０の斜視図である。
【００７２】
図１に示すようなパーテーション９０においては、飛沫抑制部材９１は、話し手の正面の、話し手とは少し離れた場所に設置されている。しかしながら、飛沫抑制部材９１は、例えば図１１に示すように話し手に装着されることによって、話し手と、聞き手との間に配置されても良い。図１１（ａ）に示すマスク９３と、図１１（ｂ）に示すマウスシールド９４と、図１１（ｃ）に示すフェイスシールド９５とは、話し手の口および鼻の少なくとも一方から生じた飛沫を抑制するための飛沫抑制部材９１をそれぞれ備えている。
【００７３】
なお、音声増大装置１０は、図１１において、飛沫抑制部材９１に貼り付けられることによって、飛沫抑制部材９１に対して特定の位置に配置されている。しかしながら、音声増大装置１０は、マスク９３、マウスシールド９４およびフェイスシールド９５に取り付けられる場合に、飛沫抑制部材９１に貼り付けられる方法以外の方法によって、飛沫抑制部材９１に対して特定の位置に配置されても良い。例えば、音声増大装置１０は、図１に示すように被載置部３０が飛沫抑制部材９１に載置されることによってマスク９３、マウスシールド９４およびフェイスシールド９５に取り付けられても良い。
【００７４】
以上においては、飛沫抑制部材９１の材料としてアクリルを例示したが、飛沫抑制部材９１は、アクリル以外の材料で形成されても良い。例えば、飛沫抑制部材９１は、綿織物などの不織布以外の布、不織布、ポリウレタン、ビニールなど、様々な材料で形成されることが可能である。
【符号の説明】
【００７５】
１０  音声増大装置
１０ａ  矢印（鉛直方向を示す矢印）
２１ａ  基部振動入力部（振動入力部）
２１ｂ  基部振動出力部（振動出力部）
２２  壁部（指向性付与部）
３０  被載置部（振動入力部）
４０  連結部（振動入力部）
５０  追加入力部
６０  拡声器
７０  共鳴用部材
９０  パーテーション
９１  飛沫抑制部材
９３  マスク
９４  マウスシールド
９５  フェイスシールド
【要約】
【課題】  話し手の音声を聞き手にとって聞き取り易くすることができる音声増大装置、パーテーション、マスク、マウスシールドおよびフェイスシールドを提供する。
【解決手段】  飛沫抑制部材９１に対して特定の位置に配置される音声増大装置１０は、飛沫抑制部材９１および自身の間の空気、および、飛沫抑制部材９１から振動を受ける固体部分である基部振動入力部２１ａと、飛沫抑制部材９１から振動を受ける固体部分である被載置部３０と、飛沫抑制部材９１および自身の間の空気、および、飛沫抑制部材９１から振動を受ける固体部分である連結部４０と、基部振動入力部２１ａ、被載置部３０および連結部４０によって受けられた振動を自身に対する聞き手側の空気に伝える固体部分である基部振動出力部２１ｂとを備え、基部振動入力部２１ａ、被載置部３０および連結部４０から基部振動出力部２１ｂに音声を、固体中を伝わる振動として伝えることを特徴とする。
【選択図】  図２【図１】
0006987296.tif 000002
【図２】
0006987296.tif 000003
【図３】
0006987296.tif 000004
【図４】
0006987296.tif 000005
【図５】
0006987296.tif 000006
【図６】
0006987296.tif 000007
【図７】
0006987296.tif 000008
【図８】
0006987296.tif 000009
【図９】
0006987296.tif 000010
【図１０】
0006987296.tif 000011
【図１１】
0006987296.tif 000012